(57)【特許請求の範囲】
【請求項１】
複数の行信号線および複数の列信号線がマトリクス状に配線され、全ての行信号線それぞれが全ての列信号線と複数のキースイッチを介して接続されてなるキーマトリクス回路を備えるキー入力装置であって、
各行信号線に対してキー認識信号を出力する信号出力部と、
各列信号線から入力されるキー認識信号を感知する信号感知部と、
第１の行信号線において、一端側が第１の列信号線に接続された第１のキースイッチの他端側が接続される第１の接続点および一端側が第２の列信号線に接続された第２のキースイッチの他端側が接続される第２の接続点よりも信号出力部側に接続される第１の整流用ダイオードと、
第２の行信号線において、一端側が前記第１の列信号線に接続された第３のキースイッチの他端側が接続される第３の接続点および一端側が第２の列信号線に接続された第４のキースイッチの他端側が接続される第４の接続点よりも信号出力部側に接続され、前記信号出力部側の極性が前記第１の整流用ダイオードの前記信号出力部側の極性と同じである第２の整流用ダイオードと、
前記第１のキースイッチと前記第２のキースイッチとが排他的にオンオフし、且つ、前記第３のキースイッチと前記第４のキースイッチとが排他的にオンオフするように前記第１のキースイッチ乃至前記第４のキースイッチの動作を規制するスイッチ動作規制部と、を備え、
第１の行信号線における第１の整流用ダイオードよりも信号出力部側に接続された第５のキースイッチまたは第２の行信号線における第２の整流用ダイオードよりも信号出力部側に接続された第６のキースイッチと、前記第１のキースイッチおよび前記第３のキースイッチまたは前記第２のキースイッチおよび前記第４のキースイッチとが同時にオン状態となり、
前記第１のキースイッチは、所定の方向を指示するキースイッチであり、前記第２のキースイッチは、前記第１のキースイッチが指示する方向と逆の方向を指示するキースイッチであり、前記第３のキースイッチは、前記第１のキースイッチと前記第２のキースイッチとが指示する方向とは異なる所定の方向を指示するキースイッチであり、前記第４のキースイッチは、前記第３のキースイッチが指示する方向とは逆の方向を指示するキースイッチであること
を特徴とするキー入力装置。
【請求項２】
複数の行信号線および複数の列信号線がマトリクス状に配線され、全ての行信号線それぞれが全ての列信号線と複数のキースイッチを介して接続されてなるキーマトリクス回路を備えるキー入力装置であって、
各行信号線に対してキー認識信号を出力する信号出力部と、
各列信号線から入力されるキー認識信号を感知する信号感知部と、
第１の行信号線において、一端側が第１の列信号線に接続された第１のキースイッチの他端側が接続される第１の接続点および一端側が第２の列信号線に接続された第２のキースイッチの他端側が接続される第２の接続点よりも信号出力部側に接続される第１の整流用ダイオードと、
第２の行信号線において、一端側が前記第１の列信号線に接続された第３のキースイッチの他端側が接続される第３の接続点および一端側が第２の列信号線に接続された第４のキースイッチの他端側が接続される第４の接続点よりも信号出力部側に接続され、前記信号出力部側の極性が前記第１の整流用ダイオードの前記信号出力部側の極性と同じである第２の整流用ダイオードと、
前記第１のキースイッチと前記第２のキースイッチとが排他的にオンオフし、且つ、前記第３のキースイッチと前記第４のキースイッチとが排他的にオンオフするように前記第１のキースイッチ乃至前記第４のキースイッチの動作を規制するスイッチ動作規制部とを備え、
前記第１のキースイッチは、所定の方向を指示するキースイッチであり、前記第２のキースイッチは、前記第１のキースイッチが指示する方向と逆の方向を指示するキースイッチであり、前記第３のキースイッチは、前記第１のキースイッチと前記第２のキースイッチとが指示する方向とは異なる所定の方向を指示するキースイッチであり、前記第４のキースイッチは、前記第３のキースイッチが指示する方向とは逆の方向を指示するキースイッチであること
を特徴とするキー入力装置。
【請求項３】
請求項１または２記載のキー入力装置を備えた携帯通信端末。
【発明の詳細な説明】
【技術分野】
【０００１】
本発明は、キー入力装置に関する。
【背景技術】
【０００２】
従来から、携帯電話機等の携帯通信端末には、キースキャンラインとキーセンスラインとを含んで構成されるキーマトリクス構造を有するキー入力装置を備えるものがある（特許文献１参照）。
この種のキー入力装置として、例えば、図１９に示すように、５本のキースキャンライン（行信号線）ＫＥＹＤ０，ＫＥＹＤ１，・・・，ＫＥＹＤ４と５本のキーセンスライン（列信号線）ＫＥＹＳＥＮＳＥ０，ＫＥＹＳＥＮＳＥ１，・・・，ＫＥＹＳＥＮＳＥ４とを含んで構成されるキーマトリクス構造を有し、テンキー等に対応した複数のキースイッチＳＷ２からＳＷ２５が各キースキャンラインＫＥＹＤ０，ＫＥＹＤ１，・・・，ＫＥＹＤ４および各キーセンスラインＫＥＹＳＥＮＳＥ０，ＫＥＹＳＥＮＳＥ１，・・・，ＫＥＹＳＥＮＳＥ４に接続されてなるキー入力装置が提供されている。なお、図１９に示すキー入力装置は、信号出力部（図示せず）からキースキャンラインに入力され、オン状態にあるキースイッチＳＷ２からＳＷ２５のいずれかを介してキーセンスラインに出力されるキー認識信号を信号感知部（図示せず）が感知する構成を有する。
【０００３】
ところで、図１９に示すキー入力装置では、例えば、キースイッチＳＷ２（ＵＰキー）、ＳＷ３（ＤＯＷＮキー）およびＳＷ１８（テンキー“８”）が同時に押された場合、信号感知部が、キースキャンラインＫＥＹＤ３から経路ａ（図１９の太線）を通ってキーセンスラインＫＥＹＳＥＮＳＥ３に流れるキー認識信号とともに、同じキースキャンラインＫＥＹＤ３から経路ｂ（図１９の破線）を通ってキーセンスラインＫＥＹＳＥＮＳＥ４に流れるキー認識信号をも同時に感知するため、あたかも、キースイッチＳＷ１７（テンキー“７”）が押されているものと誤認識されることがあった。
【０００４】
このキー入力装置における誤認識の発生を防止するために、従来から、図２０に示すように、各キースイッチＳＷ２，ＳＷ３，・・・，ＳＷ２５と、キーセンスラインＫＥＹＳＥＮＳＥ０，ＫＥＹＳＥＮＳＥ１，・・・，ＫＥＹＳＥＮＳＥ４との間それぞれに整流用ダイオードＤ１０２，Ｄ１０３，・・・，Ｄ１２５が介挿されてなるキー入力装置が提供されている。
【０００５】
ところが、図２０に示す構成では、各キースイッチＳＷ２，ＳＷ３，・・・，ＳＷ２５それぞれに対応する整流用ダイオードＤ１０２，Ｄ１０３，・・・，Ｄ１２５を設けることになるので、部品点数の増大による製造コストの増大が懸念される。
この点を考慮して、従来から、図２１に示すように、同時に押される可能性があるキーが予め限定されている場合において、５つの整流用ダイオードＤ２０３，Ｄ２０４，・・・，Ｄ２０７だけを備えたキー入力装置が提案されている（特許文献２参照）。このキー入力装置では、図２１に示すように、ユーザにより同時に押されることがあるキー（例えば、ユーザが左上方への移動方向を指定するときに同時に押すＵＰキーとＬＥＦＴキー等）に対応する各キースイッチを１本のキースキャンラインに接続し、一端側がキースキャンラインに接続された各キースイッチの他端側とキーセンスラインとの間それぞれにダイオードＤ２０３，Ｄ２０４，・・・，Ｄ２０７が介挿されている。
【先行技術文献】
【特許文献】
【０００６】
【特許文献１】特開２００８−２５０８０３号公報
【特許文献２】特開２００９−２１１６９４号公報
【発明の概要】
【発明が解決しようとする課題】
【０００７】
ところで、キー入力装置の回路設計や製造においては、キー配置に応じた回路設計や製造を少しでも容易にするため、図２１に示す構成以外で、同時キー操作時の誤認識を防止する技術の開発が望まれる。つまり、同時キー操作時の誤認識を抑制できるキー入力装置の構成のバリエーションを少しでも増やすことで、キー配置に応じた回路設計や製造の容易化が望まれている。
【０００８】
本発明は、上記事由に鑑みてなされたものであり、同時キー操作時の誤認識を防止しつつ、キー配置に応じた回路設計や製造の容易化を図ることができるキー入力装置の提供を目的とする。
【課題を解決するための手段】
【０００９】
上記課題を解決するために、本発明のキー入力装置は、複数の行信号線および複数の列信号線がマトリクス状に配線され、全ての行信号線それぞれが全ての列信号線と複数のキースイッチを介して接続されてなるキーマトリクス回路を備えるキー入力装置であって、各行信号線に対してキー認識信号を出力する信号出力部と、各列信号線から入力されるキー認識信号を感知する信号感知部と、一端側が第１の行信号線に接続され且つ他端側が第１の列信号線に接続された第１のキースイッチと第１の行信号線および第１の列信号線のいずれか一方との間に接続される第１の整流用ダイオードと、一端側が第２の行信号線に接続され且つ他端側が第１の列信号線に接続された第２のキースイッチと第２の行信号線および第１の列信号線のいずれか一方との間に接続され、第２の行信号線に接続される側の極性が第１の整流用ダイオードにおける第１の行信号線に接続される側の極性と同じである第２の整流用ダイオードと、一端側が第１の行信号線に接続され且つ他端側が第２の列信号線に接続された第３のキースイッチと第１の行信号線および第２の列信号線のいずれか一方との間に接続され、第１の行信号線に接続される側の極性が第１の整流用ダイオードにおける第１の行信号線に接続される側の極性と同じである第３の整流用ダイオードと、一端側が第２の行信号線に接続され且つ他端側が第２の列信号線に接続された第４のキースイッチと第２の行信号線および第２の列信号線のいずれか一方との間に接続され、第２の行信号線に接続される側の極性が第１の整流用ダイオードにおける第１の行信号線に接続される側の極性と同じである第４の整流用ダイオードとを備える。
【発明の効果】
【００１０】
本構成によれば、同時キー操作時の誤認識を防止しつつ、キー配置に応じた回路設計や製造の容易化を図ることができる。
【図面の簡単な説明】
【００１１】
【図１】実施の形態１に係る携帯電話機のブロック図である。
【図２】実施の形態１に係る携帯電話機の概略正面図である。
【図３】実施の形態１に係るキー入力装置のブロック図である。
【図４】実施の形態１に係るキー入力装置の各キーの割り当てを説明する図である。
【図５】実施の形態１に係るスイッチ動作規制部の概略図である。
【図６】実施の形態１に係るキー入力装置の動作説明図である。
【図７】実施の形態１に係るキー入力装置の動作説明図である。
【図８】実施の形態１に係るキー入力装置の動作説明図である。
【図９】実施の形態２に係るキー入力装置のブロック図である。
【図１０】実施の形態２に係るキー入力装置の各キーの割り当てを説明する図である。
【図１１】実施の形態２に係るキー入力装置の動作説明図である。
【図１２】実施の形態２に係るキー入力装置の動作説明図である。
【図１３】実施の形態３に係るキー入力装置のブロック図である。
【図１４】実施の形態３に係るキー入力装置の各キーの割り当てを説明する図である。
【図１５】実施の形態３に係るキー入力装置の動作説明図である。
【図１６】実施の形態３に係るキー入力装置の動作説明図である。
【図１７】変形例に係るキー入力装置のブロック図である。
【図１８】変形例に係るキー入力装置の各キーの割り当てを説明する図である。
【図１９】従来例のキー入力装置の説明図である。
【図２０】他の従来例のキー入力装置の説明図である。
【図２１】他の従来例のキー入力装置の説明図である。
【発明を実施するための形態】
【００１２】
＜実施の形態１＞
＜１＞構成
本実施の形態に係る携帯電話機１０の構成を図１に示す。
携帯電話機１０は、アンテナ１００と、アンテナ１００に接続された無線通信部２００と、キー入力装置３００と、ＲＯＭ（Ｒｅａｄ  Ｏｎｌｙ  Ｍｅｍｏｒｙ）４００と、制御部５００と、表示部６００と、音声入力用のマイク（図示せず）と、音声出力用のスピーカ（図示せず）とを含んで構成される。
【００１３】
無線通信部２００は、アンテナ１００で受信した無線信号の復調処理や、アンテ
ナ１００により送出する送信信号の変調処理などを行う。
ＲＯＭ４００は、携帯電話機１０の各種機能を実現するためのプログラムを記憶している。ＲＯＭ４００には、例えば、電話機能を実現するための電話機能プログラム４１０や、電子メールの送受信機能を実現するためのメール機能プログラム４２０や、ゲームを行うためのゲームプログラム４３０等が記憶されている。
＜１−１＞制御部
制御部５００は、ＣＰＵ（Ｃｅｎｔｒａｌ  Ｐｒｏｃｅｓｓｉｎｇ  Ｕｎｉｔ）（図示せず）と主記憶装置（図示せず）とを備える。制御部５００では、ＲＯＭ４００から主記憶装置に読み込まれた各プログラムをＣＰＵが実行することにより携帯電話機１０の各種機能（電話機能部５１０、メール機能部５２０、ゲームプログラム実行部５３０）を実現している。
【００１４】
電話機能部５１０は、電話の発着信制御等の機能を担うものであって、ＲＯＭ４００から主記憶装置に読み込まれた電話機能プログラム４１０をＣＰＵが実行することにより実現されている。電話機能部５１０は、キー入力装置３００からダイヤル入力を受け付けた後、ダイヤル入力で指定された通話先への発呼のため信号や音声信号を無線通信部２００へ入力する。
【００１５】
メール機能部５２０は、電子メール送受信時にＲＯＭ４００から主記憶装置に読み込まれたメール機能プログラム４２０をＣＰＵが実行することにより実現されている。メール機能部５２０は、キー入力装置３００からメールアドレス入力を受け付けると、文字データの無線通信部２００に入力する。
ゲームプログラム実行部５３０は、ユーザがキー入力装置３００からゲームを行うための操作を適宜行うと、ＲＯＭ４００から主記憶装置に読み込まれたゲームプログラム４３０をＣＰＵが実行することで実現されている。ゲームプログラム実行部５３０は、ゲームのグラフィックスを表示部６００に表示する処理を行う。例えば、図２（ａ）に示すように、ゲームに登場するキャラクタＣＨのグラフィックスを表示部６００に表示する処理を行う。
【００１６】
また、ゲームプログラム実行部５３０は、ユーザがキー入力装置３００を使ってデータを入力したときに、入力データが反映されたグラフィックスを表示部６００に表示する処理も行う。例えば、図２（ｂ）に示すように、ユーザが上方向と右方向を示す矢印キー（後述のスイッチ動作規制部３２０ａの一部を構成する）を同時に押しながら、キー「８」を押すと、ゲームプログラム実行部５３０は、キャラクタＣＨが右上方へ移動しながら両手を上に挙げる動作を行うようにグラフィックスを表示する。
【００１７】
このように、ゲームプログラム実行部５３０は、上下左右方向を示す矢印キーのうちのいずれか２つのキーと、「０」乃至「９」の数字キー或いは「ＯＫ」キー、「Ｔａｌｋ」キーのいずれか１つのキーとが同時に押されたときにそれに応じたグラフィックスを表示する処理を行うことができる仕様となっている。
＜１−２＞キー入力装置
キー入力装置３００の構成を図３に示す。
【００１８】
キー入力装置３００は、キースキャン回路３１０と、キーマトリクス回路３２０と、ユーザが押して操作するキー群Ｋ（図２参照）とを含んで構成される。ここにおいて、ユーザがキー群Ｋに含まれるキーを押すと、キーマトリクス回路３２０の一部を構成する後述のキースイッチがオン状態になる。そして、キースキャン回路３１０は、いずれのキースイッチがオン状態にあるかを認識するための信号（キー認識信号）をキーマトリクス回路３２０に出力し、キーマトリクス回路３２０内を伝播した後にキーマトリクス回路３２０から出力されるキー認識信号に基づいて、キースイッチの状態を認識する。また、キースキャン回路３２０は、制御部５００に接続されており、検出した各キースイッチの状態を制御部５００に通知する。
＜１−２−１＞キーマトリクス回路
キーマトリクス回路３２０は、４本の行信号線Ｌ１１，Ｌ１２，Ｌ１３，Ｌ１４と、４本の列信号線Ｌ２１，Ｌ２２，Ｌ２３，Ｌ２４と、複数（図３では１６個）のキースイッチＳＷ１，ＳＷ２，・・・，ＳＷ１６とから構成されるキーマトリクス構造を有している。
【００１９】
また、キーマトリクス回路３２０は、４つの整流用のダイオードＤ１１，Ｄ１２，Ｄ１３，Ｄ１４と、キースイッチＳＷ１１とキースイッチＳＷ１２とが排他的にオンオフし、且つ、キースイッチＳＷ１５とキースイッチＳＷ１６とが排他的にオンオフするように各キースイッチＳＷ１１，ＳＷ１２，ＳＷ１５，ＳＷ１６の動作を規制する後述のスイッチ動作規制部３２０ａとを含んで構成される。
【００２０】
また、キー入力装置３００の一部を構成するキー群Ｋは、各キースイッチＳＷ１，ＳＷ２，・・・，ＳＷ１６それぞれに一対一に対応付けがなされており、ユーザがキーを押すと対応するキースイッチがオン状態になる。
図４に各キースイッチＳＷ１，ＳＷ２，・・・，ＳＷ１６それぞれに対する各キーの割り当てを示す。
【００２１】
整流用ダイオード（第１の整流用ダイオード）Ｄ１１は、一端側が行信号線（第１の行信号線）Ｌ１３に接続され且つ他端側が列信号線（第１の列信号線）Ｌ２３に接続されたキースイッチ（第１のキースイッチ）ＳＷ１１と行信号線Ｌ１３との間に介挿されている。ここで、整流用ダイオードＤ１１は、行信号線Ｌ１３から列信号線Ｌ２３に向かう方向に流れるキー認識信号を通過させ、逆方向に流れる信号を遮断する。
【００２２】
整流用ダイオード（第２の整流用ダイオード）Ｄ１３は、一端側が行信号線（第２の行信号線）Ｌ１４に接続され且つ他端側が列信号線（第１の列信号線）Ｌ２３に接続されたキースイッチ（第２のキースイッチ）ＳＷ１５と行信号線Ｌ１４との間に介挿されている。ここで、整流用ダイオードＤ１３は、行信号線Ｌ１４から列信号線Ｌ２３に向かう方向に流れるキー認識信号を通過させ、逆方向に流れる信号を遮断する。つまり、整流用ダイオードＤ１３は、行信号線Ｌ１４に接続される側の極性が整流用ダイオードＤ１１の行信号線Ｌ１３に接続される側の極性と同じになっている。
【００２３】
整流用ダイオード（第３の整流用ダイオード）Ｄ１２は、一端側が行信号線（第１の行信号線）Ｌ１３に接続され且つ他端側が列信号線（第２の列信号線）Ｌ２４に接続されたキースイッチ（第３のキースイッチ）ＳＷ１２と行信号線Ｌ１３との間に介挿されている。ここで、整流用ダイオードＤ１２は、行信号線Ｌ１３から列信号線Ｌ２４に向かう方向に流れるキー認識信号を通過させ、逆方向に流れる信号を遮断する。つまり、整流用ダイオードＤ１３は、行信号線Ｌ１３に接続される側の極性が整流用ダイオードＤ１１の行信号線Ｌ１３に接続される側の極性と同じになっている。
【００２４】
整流用ダイオード（第４の整流用ダイオード）Ｄ１４は、一端側が行信号線（第２の行信号線）Ｌ１４に接続され且つ他端側が列信号線（第２の列信号線）Ｌ２４に接続されたキースイッチ（第４のキースイッチ）ＳＷ１６と行信号線Ｌ１４との間に介挿されている。ここで、整流用ダイオードＤ１４は、行信号線Ｌ１４から列信号線Ｌ２４に向かう方向に流れるキー認識信号を通過させ、逆方向に流れる信号を遮断する。つまり、整流用ダイオードＤ１３は、行信号線Ｌ１４に接続される側の極性が整流用ダイオードＤ１１の行信号線Ｌ１３に接続される側の極性と同じになっている。
＜１−２−２＞スイッチ動作規制部
スイッチ動作規制部３２０ａは、図５に示すように、平面視矩形状の基台部３２０ｂと、基台部３２０ｂの厚み方向の一面側に配置されたアーマチュア３２０ｅとから構成される。ここで、アーマチュア３２０ｅにおける基台部３２０ｂ側と反対側が、ユーザが押すキートップになっている。
【００２５】
基台部３２０ｂは、アーマチュア３２０ｅに対向する面側における４箇所に、２つの電極部から構成された４つの固定接点部３２０ｃ１，３２０ｃ２，３２０ｃ３，３２０ｃ４が設けられてなる。一方、アーマチュア３２０ｅは、各固定接点部３２０ｃ１，３２０ｃ２，３２０ｃ３，３２０ｃ４それぞれに対向する部位に、可動接点部３２０ｄ１，３２０ｄ２，３２０ｄ３，３２０ｄ４が設けられてなる。ここで、各固定接点部対して離脱する２つの可動接点部３２０ｄ１，３２０ｄ２を備えるアーマチュア３２０ｅと、２つの固定接点３２０ｃ１，３２０ｃ２の並び方向における略中央部に突設された支持部３２０ｆとから構成される。ここで、固定接点部３２０ｃ１と可動接点部３２０ｄ１とからキースイッチＳＷ１１が構成され、固定接点部３２０ｃ２と可動接点部３２０ｄ２とからキースイッチＳＷ１６が構成される。また、固定接点部３２０ｃ３と可動接点部３２０ｄ３とからキースイッチＳＷ１２が構成され、固定接点部３０２ｃ４と可動接点部３２０ｄ４とからキースイッチＳＷ１５が構成される。  そして、固定接点部３２０ｃ１と可動接点部３２０ｄ１とが接触している状態では、アーマチュア３２０ｅと基台部３２０ｂとの間に支持部３２０ｆが介在することで、アーマチュア３２０ｅにおいて可動接点部３２０ｄ１とは中心を挟んで反対側に配設された可動接点部３２０ｄ３が固定接点部３２０ｃ３から離間した状態で保たれることになる。従って、固定接点部３２０ｃ１と可動接点部３２０ｄ１とから構成されるキースイッチＳＷ１１がオン状態のときは、固定接点部３２０ｃ３と可動接点部３２０ｄ３とから構成されるキースイッチＳＷ１２がオフ状態で保たれることになる。
【００２６】
一方、固定接点部３２０ｃ３と可動接点部３２０ｄ３とが接触し、キースイッチＳＷ１２がオン状態のときは、固定接点部３２０ｃ１と可動接点部３２０ｄ１とから構成されるキースイッチＳＷ１１がオフ状態で保たれることになる。
同様に、固定接点部３２０ｃ２と可動接点部３２０ｄ２とが接触している状態では、アーマチュア３２０ｅと基台部３２０ｂとの間に支持部３２０ｆが介在することで、アーマチュア３２０ｅにおいて可動接点部３２０ｄ２とは中心を挟んで反対側に配設された可動接点部３２０ｄ４が固定接点部３２０ｃ４から離間した状態で保たれることになる。従って、固定接点部３２０ｃ２と可動接点部３２０ｄ２とから構成されるキースイッチＳＷ１６がオン状態のときは、固定接点部３２０ｃ４と可動接点部３２０ｄ４とから構成されるキースイッチＳＷ１５がオフ状態で保たれることになる。
【００２７】
一方、固定接点部３２０ｃ４と可動接点部３２０ｄ４とが接触し、キースイッチＳＷ１５がオン状態のときは、固定接点部３２０ｃ２と可動接点部３２０ｄ２とから構成されるキースイッチＳＷ１６がオフ状態で保たれることになる。
このように、スイッチ動作規制部３２０ａが、アーマチュア３２０ｅが支持部３２０ｆを支点として揺動する構成なので、キースイッチＳＷ１１とキースイッチＳＷ１２とを排他的にオンオフすることを可能とし、キースイッチＳＷ１５とキースイッチＳＷ１６とを排他的にオンオフすることを可能としている。
【００２８】
なお、図５に示すスイッチ動作規制部３２０ａは、アーマチュア３２０ｅが支持部３２０ｆを支点として揺動することから、シーソー型スイッチ（シーソー型キースイッチ、シーソー型キー）ともいわれている。
＜１−１−３＞キースキャン回路
キースキャン回路３１０は、図３に示すように、行信号線Ｌ１１，Ｌ１２，Ｌ１３，Ｌ１４に対して、キーマトリクス回路３２０の一部を構成する複数のキースイッチＳＷ１乃至ＳＷ１６のうちいずれのキースイッチがオン状態となっているかをキースキャン回路３１０が認識するための信号（キー認識信号）を出力する信号出力部３１１と、列信号線Ｌ２１，Ｌ２２，Ｌ２３，Ｌ２４から入力されるキー認識信号を感知する信号感知部３１２と、信号出力部３１１が出力され信号感知部３１２により感知されるキー認識信号に基づいてキースイッチＳＷ１，ＳＷ２，・・・，ＳＷ１６のうちいずれが、接点の閉じた状態（オン状態）にあるかを判定する判定部３１３とを備える。
【００２９】
信号出力部３１１には、４つの行信号線Ｌ１１，Ｌ１２，Ｌ１３，Ｌ１４が各別に接続された４つの信号出力ポート３１１ａ，３１１ｂ，３１１ｃ，３１１ｄを有する。そして、信号出力部３１１は、一定時間毎に逐次信号出力ポート３１１ａ，３１１ｂ，３１１ｃ，３１１ｄの中から１つの信号出力ポートを選択してキー認識信号を出力する。ここで、信号出力部３１１は、判定部３１３から信号出力部３１１に対してキー認識信号を出力することを要求するために送信される信号出力要求信号を受信すると、キー認識信号を出力する。また、信号出力要求信号には、キー認識信号を出力する信号出力ポートを識別する識別情報が含まれており、信号出力部３１１は、信号出力要求信号に含まれる当該識別情報に基づいて、キー認識信号を出力する信号出力ポートを選択する。
【００３０】
信号感知部３１２は、４つの列信号線Ｌ２１，Ｌ２２，Ｌ２３，Ｌ２４が各別に接続された４つの信号入力ポート３１２ａ，３１２ｂ，３１２ｃ，３１２ｄを有する。そして、信号感知部３１２は、各信号入力ポート３１２ａ，３１２ｂ，３１２ｃ，３１２ｄにキー認識信号が入力されると、当該キー認識信号が入力された信号入力ポートを識別する識別情報を含む信号感知信号を生成し、当該信号感知信号を判定部３１３に入力する。
【００３１】
判定部３１３は、信号出力要求信号に含まれるキー認識信号を出力する信号出力ポートの識別情報と、信号感知信号に含まれるキー認識信号が入力された信号入力ポートの識別情報とに基づいて、キースイッチＳＷ１，ＳＷ２，・・・，ＳＷ１６のうちいずれがオン状態にあるかを判定する。そして、判定部３１３は、判定した結果を判定部３１３に接続されている制御部５００に対して出力する。ここで、判定部３１３は、図３に示すように、キー群ＫとキースイッチＳＷ１乃至ＳＷ１６とを一対一に対応付けるテーブル情報を保持しており、オン状態にあるキースイッチに対応するキーの内容を制御部５００に対して出力する。例えば、キースイッチＳＷ９がオン状態にある場合、判定部３１３は、キースイッチＳＷ９にキー「８」が対応付けがなされているので（図３参照）、キー「８」がユーザによって押されている旨を制御部５００に通知する。
【００３２】
なお、アンテナ１００、表示部６００、音声入力用のマイク（図示せず）、および音声出力用のスピーカ（図示せず）の構成は、従来から携帯電話機に一般的に用いられている構成と同様なので説明は省略する。
＜２＞動作
次に、本実施の形態に係るキー入力装置３００の動作について説明する。
＜２−１＞１つのキーが押された場合
キー「８」が押されたときの状態を図６に示す。
【００３３】
図６に示すように、キー「８」に対応するキースイッチＳＷ９の接点が閉じ、当該キースイッチＳＷ９の両端に接続された行信号線Ｌ１３と列信号線Ｌ２１とが導通することになる。すると、信号入力部１０２が、信号出力ポート３１１ｄから行信号線Ｌ１４にキー認識信号が入力されると、行信号線Ｌ１４からキースイッチＳＷ９を介して列信号線Ｌ２１にキー認識信号が流れて、列信号線Ｌ２１が接続された信号感知部３１２の信号入力ポート３１２ａに入力される（図６の太線Ｒ０）。このとき、判定部３１３は、信号入力部１０２の信号出力ポート３１１ｄから出力されたキー認識信号が、信号入力ポート３１２ａに入力されたことを信号感知部３１２が感知するとキースイッチＳＷ９の接点が閉じたと判定する。
＜２−２＞３つのキーが同時に押された場合
キー「８」とキー「←」とキー「↓」とが同時に押されたときの状態を図７および図８に示す。
【００３４】
図７に示すように、信号出力部３１１の信号出力ポート３１１ｃからキー認識信号が出力されると、キー認識信号は、行信号線Ｌ１３からキースイッチＳＷ９（キー「８」に対応）を介して列信号線Ｌ２１に流れ、信号入力ポート３１２ａに入力される（図７の太線Ｒ２）とともに、行信号線Ｌ１３からキースイッチＳＷ１１（キー「←」に対応）を介して列信号線Ｌ２３に流れ、信号入力ポート３１２ｃに入力される（図７の太線Ｒ１）。
【００３５】
また、図８に示すように、信号出力部３１１の信号出力ポート３１１ｄからキー認識信号が出力されると、キー認識信号は、行信号線Ｌ１４からキースイッチＳＷ１５（キー「↓」に対応）を介して列信号線Ｌ２３に流れ、信号入力ポート３１２ｃに入力される（図８の太線Ｒ３）。
仮に、ダイオードＤ１１がなければ、信号出力ポート３１１ｄから出力されたキー認識信号は、行信号線Ｌ１４→キースイッチＳＷ１５→列信号線Ｌ２３→キースイッチＳＷ１１→行信号線Ｌ１３→キースイッチＳＷ９→列信号線Ｌ２１と流れて、信号入力ポート３１２ａに入力されるが（図８の破線Ｒ４）、キー入力装置３００では、ダイオードＤ１１が設けられているので、破線Ｒ４で示した経路を通って流れるキー認識信号が遮断される。
【００３６】
そして、判定部３１３は、信号出力ポート３１１ｃから出力されたキー認識信号が、信号入力ポート３１２ａ，３１２ｃに入力されたことを信号感知部３１２が感知するとキースイッチＳＷ９，ＳＷ１１の接点が閉じたと判定し、信号出力ポート３１１ｄから出力されたキー認識信号が、信号入力ポート３１２ｃに入力されたことを信号感知部３１２が感知するとキースイッチＳＷ１５の接点が閉じたと判定する。
【００３７】
本実施の形態では、図８の破線Ｒ４で示すように、信号出力ポート３１１ｄから出力された経路を通って信号入力ポート３１２ａに流れるキー認識信号を遮断することができるので、例えば、キー「８」とキー「←」とキー「↓」とが同時に押されたときに、判定部３１３が、キー「ＯＫ」（キースイッチＳＷ１３）が押されたものと誤って判定してしまうことを防止することができる。
【００３８】
また、本実施の形態に係るキー入力装置３００では、キースイッチＳＷ１１およびキースイッチＳＷ１５と、キースイッチＳＷ１０，ＳＷ１３，ＳＷ１４のうちのいずれか１つとが同時に押された場合であっても、判定部３１３の誤認識を防止することができる。
更に、キー入力装置３００では、キースイッチＳＷ１２およびキースイッチＳＷ１６と、キースイッチＳＷ９，ＳＷ１０，ＳＷ１３，ＳＷ１４のうちのいずれか１つとが同時に押された場合であっても、判定部３１３の誤認識を防止することができる。
【００３９】
つまり、キー入力装置３００は、ユーザがキー「←」およびキー「↓」と、キー「８」、キー「９」、キー「ＯＫ」およびキー「Ｔａｌｋ」の中のいずれか１つとを同時に押した場合、また、ユーザがキー「→」およびキー「↑」と、キー「８」、キー「９」、キー「ＯＫ」およびキー「Ｔａｌｋ」の中のいずれか１つとを同時に押した場合において、ユーザが押しているキーを正常に認識することができる。
＜実施の形態２＞
＜１＞構成
本実施の形態に係る携帯電話機１０は、実施の形態１と略同様の構成を有し、キー入力装置３００の構成だけが相違する。キー入力装置３００以外の他の構成については説明を省略する。
【００４０】
キー入力装置３００の構成を図９に示す。
キー入力装置３００は、図９に示すように、キースキャン回路３１０と、キーマトリクス回路３２０と、キー群Ｋ（図２参照）とを含んで構成される。キースキャン回路３１０およびスイッチ動作規制部３２０ａの構成は、実施の形態１と同様なので説明を省略する。
【００４１】
キーマトリクス回路３２０は、４本の行信号線Ｌ１１，Ｌ１２，Ｌ１３，Ｌ１４と、４本の列信号線Ｌ２１，Ｌ２２，Ｌ２３，Ｌ２４と、複数（図９では１６個）のキースイッチＳＷ１，ＳＷ２，・・・，ＳＷ１６とから構成されるキーマトリクス構造を有している。
また、キーマトリクス回路３２０は、２つの整流用のダイオードＤ２１，Ｄ２２と、スイッチ動作規制部３２０ａとを含んで構成される。
【００４２】
また、キー入力装置３００の一部を構成するキー群Ｋは、各キースイッチＳＷ１，ＳＷ２，・・・，ＳＷ１６それぞれに一対一に対応付けがなされており、ユーザがキーを押すと対応するキースイッチがオン状態になる。
図１０に各キースイッチＳＷ１，ＳＷ２，・・・，ＳＷ１６それぞれに対する各キーの割り当てを示す。
【００４３】
整流用ダイオード（第１の整流用ダイオード）Ｄ２１は、行信号線（第１の行信号線）Ｌ１３において、一端側が列信号線（第１の列信号線）Ｌ２３に接続されたキースイッチ（第１のキースイッチ）ＳＷ１１の他端側が接続される接続点Ｐ１１および一端側が列信号線（第２の列信号線）Ｌ２４に接続されたキースイッチ（第２のキースイッチ）ＳＷ１２の他端側が接続される接続点Ｐ１２よりも信号出力部３１１側に介挿されている。ここで、整流用ダイオードＤ２１は、行信号線Ｌ１３において、信号出力部３１１から接続点Ｐ１１，Ｐ１２に向かう方向に流れるキー認識信号を通過させ、逆方向に流れる信号を遮断する。
【００４４】
整流用ダイオード（第２の整流用ダイオード）Ｄ２２は、行信号線（第２の行信号線）Ｌ１４において、一端側が列信号線（第１の列信号線）Ｌ２３に接続されたキースイッチ（第３のキースイッチ）ＳＷ１５の他端側が接続される接続点Ｐ１５および一端側が列信号線（第２の列信号線）Ｌ２４に接続されたキースイッチ（第４のキースイッチ）ＳＷ１６の他端側が接続される接続点Ｐ１６よりも信号出力部３１１側に介挿されている。ここで、整流用ダイオードＤ２２は、行信号線Ｌ１４において、信号出力部３１１から接続点Ｐ１１，Ｐ１２に向かう方向に流れるキー認識信号を通過させ、逆方向に流れる信号を遮断する。つまり、整流用ダイオードＤ２２は、信号出力部３１１側の極性が整流用ダイオードＤ２１の信号出力部３１１側の極性と同じになっている。
＜２＞動作
次に、本実施の形態に係るキー入力装置３００の動作について説明する。なお、キーが１つだけ押された場合については実施の形態１と同様なので説明を省略する。
＜２−１＞３つのキーが同時に押された場合
キー「８」とキー「←」とキー「↓」とが同時に押されたときの状態を図１１および図１２に示す。
【００４５】
図１１に示すように、信号出力部３１１の信号出力ポート３１１ｃからキー認識信号が出力されると、キー認識信号は、行信号線Ｌ１３からキースイッチＳＷ９を介して列信号線Ｌ２１に流れ、信号入力ポート３１２ａに入力される（図１０の太線Ｒ２２）とともに、行信号線Ｌ１３からキースイッチＳＷ１１を介して列信号線Ｌ２３に流れ、信号入力ポート３１２ｃに入力される（図１１の太線Ｒ２１）。
【００４６】
また、図１２に示すように、信号出力部３１１の信号出力ポート３１１ｄからキー認識信号が出力されると、キー認識信号は、行信号線Ｌ１４からキースイッチＳＷ１５を介して列信号線Ｌ２３に流れ、信号入力ポート３１２ｃに入力される（図１１の太線Ｒ２３）。
仮に、ダイオードＤ２１がなければ、信号出力ポート３１１ｄから出力されたキー認識信号は、行信号線Ｌ１４→キースイッチＳＷ１５→列信号線Ｌ２３→キースイッチＳＷ１１→行信号線Ｌ１３→キースイッチＳＷ９→列信号線Ｌ２１と流れて、信号入力ポート３１２ａに入力されるが（図１２の破線Ｒ２４）、キー入力装置３００では、ダイオードＤ２１が設けられているので、破線Ｒ４で示した経路を通って流れるキー認識信号が遮断される。
【００４７】
ここにおいて、判定部３１３は、信号出力ポート３１１ｃから出力されたキー認識信号が、信号入力ポート３１２ａ，３１２ｃに入力されたことをもってキースイッチＳＷ９，ＳＷ１１の接点が閉じたと判定し、信号出力ポート３１１ｄから出力されたキー認識信号が、信号入力ポート３１２ｃに入力されたことをもってキースイッチＳＷ１５の接点が閉じたと判定する。
【００４８】
つまり、本実施の形態に係るキー入力装置３００では、信号出力ポート３１１ｄから出力されたキー認識信号が、図１２の破線Ｒ４で示した経路を通って信号入力ポート３１２ａに流れるのを遮断することができるので、例えば、キー「８」とキー「←」とキー「↓」とが同時に押されたときに、判定部３１３が、キー「ＯＫ」（キースイッチＳＷ１３）が押されたものと誤って判定してしまうことを防止することができる。
【００４９】
また、本実施の形態に係るキー入力装置３００では、キースイッチＳＷ１１およびキースイッチＳＷ１５と、キースイッチＳＷ１０（第５のキースイッチに相当する。）またはキースイッチＳＷ１３，ＳＷ１４（第６のキースイッチに相当する。）のうちのいずれか１つが同時に押された場合であっても、判定部３１３の誤認識を防止することができる。
更に、キー入力装置３００では、キースイッチＳＷ１２およびキースイッチＳＷ１６と、キースイッチＳＷ９，ＳＷ１０（第５のキースイッチに相当する。）またはキースイッチＳＷ１３，ＳＷ１４（第６のキースイッチに相当する。）のうちのいずれか１つが同時に押された場合であっても、判定部３１３の誤認識を防止することができる。
【００５０】
つまり、キー入力装置３００は、ユーザがキー「←」およびキー「↓」と、キー「８」、キー「９」、キー「ＯＫ」およびキー「Ｔａｌｋ」の中のいずれか１つとを同時に押した場合、また、ユーザがキー「→」およびキー「↑」と、キー「８」、キー「９」、キー「ＯＫ」およびキー「Ｔａｌｋ」の中のいずれか１つとを同時に押した場合において、ユーザが押しているキーを正常に認識することができる。
＜実施の形態３＞
＜１＞構成
本実施の形態の携帯電話機１０は、実施の形態１と略同様の構成を有し、キー入力装置３００の構成だけが相違する。キー入力装置３００以外の他の構成については説明を省略する。
【００５１】
キー入力装置３００の構成を図１３に示す。
キー入力装置３００は、キースキャン回路３１０と、キーマトリクス回路３２０と、キー群Ｋ（図２参照）とを含んで構成される。キースキャン回路３１０の構成は、実施の形態１と同様なので説明を省略する。
キーマトリクス回路３２０は、４本の行信号線Ｌ１１，Ｌ１２，Ｌ１３，Ｌ１４と、４本の列信号線Ｌ２１，Ｌ２２，Ｌ２３，Ｌ２４と、複数（図１３では１６個）のキースイッチＳＷ１，ＳＷ２，・・・，ＳＷ１６と、４つの整流用のダイオードＤ３１，Ｄ３２，Ｄ３３，Ｄ３４と、スイッチ動作規制部３２０ａとを含むキーマトリクス構造を有する。
【００５２】
スイッチ動作規制部は、キースイッチＳＷ６とキースイッチＳＷ８とが排他的にオンオフし、キースイッチＳＷ１４とキースイッチＳＷ１６とが排他的にオンオフするように各キースイッチＳＷ６，ＳＷ８，ＳＷ１４，ＳＷ１６の動作を規制する。ここで、固定接点部３２０ｃ１と可動接点部３２０ｄ１とからキースイッチＳＷ５が構成され、固定接点部３２０ｃ２と可動接点部３２０ｄ２とからキースイッチＳＷ１６が構成される。また、固定接点部３２０ｃ３と可動接点部３２０ｄ３とからキースイッチＳＷ８が構成され、固定接点部３０２ｃ４と可動接点部３２０ｄ４とからキースイッチＳＷ１４が構成される。
【００５３】
また、キー入力装置３００の一部を構成するキー群Ｋは、各キースイッチＳＷ１，ＳＷ２，・・・，ＳＷ１６それぞれに一対一に対応付けがなされており、ユーザがキーを押すと対応するキースイッチがオン状態になる。
図１４に各キースイッチＳＷ１，ＳＷ２，・・・，ＳＷ１６それぞれに対する各キーの割り当てを示す。
【００５４】
整流用ダイオード（第１の整流用ダイオード）Ｄ３１は、一端側が行信号線（第１の行信号線）Ｌ１２に接続され且つ他端側が列信号線（第１の列信号線）Ｌ２２に接続されたキースイッチ（第１のキースイッチ）ＳＷ６と行信号線Ｌ１２との間に介挿されている。ここで、整流用ダイオードＤ３１は、行信号線Ｌ１２から列信号線Ｌ２２に向かう方向に流れるキー認識信号を通過させ、逆方向に流れる信号を遮断する。
【００５５】
整流用ダイオード（第２の整流用ダイオード）Ｄ３３は、一端側が行信号線（第２の行信号線）Ｌ１４に接続され且つ他端側が列信号線（第１の列信号線）Ｌ２２に接続されたキースイッチ（第２のキースイッチ）ＳＷ１４と行信号線Ｌ１４との間に介挿されている。ここで、整流用ダイオードＤ３３は、行信号線Ｌ１４から列信号線Ｌ２２に向かう方向に流れるキー認識信号を通過させ、逆方向に流れる信号を遮断する。つまり、整流用ダイオードＤ３３は、行信号線Ｌ１４に接続される側の極性が整流用ダイオードＤ３１の行信号線Ｌ１２に接続される側の極性と同じになっている。
【００５６】
整流用ダイオード（第３の整流用ダイオード）Ｄ３２は、一端側が行信号線（第１の行信号線）Ｌ１２に接続され且つ他端側が列信号線（第２の列信号線）Ｌ２４に接続されたキースイッチ（第３のキースイッチ）ＳＷ８と行信号線Ｌ１２との間に介挿されている。ここで、整流用ダイオードＤ３２は、行信号線Ｌ１２から列信号線Ｌ２４に向かう方向に流れるキー認識信号を通過させ、逆方向に流れる信号を遮断する。つまり、整流用ダイオードＤ３２は、行信号線Ｌ１２に接続される側の極性が整流用ダイオードＤ３１の行信号線Ｌ１２に接続される側の極性と同じになっている。
【００５７】
整流用ダイオード（第４の整流用ダイオード）Ｄ３４は、一端側が行信号線（第２の行信号線）Ｌ１４に接続され且つ他端側が列信号線（第２の列信号線）Ｌ２４に接続されたキースイッチ（第４のキースイッチ）ＳＷ１６と行信号線Ｌ１４との間に介挿されている。ここで、整流用ダイオードＤ３４は、行信号線Ｌ１４から列信号線Ｌ２４に向かう方向に流れるキー認識信号を通過させ、逆方向に流れる信号を遮断する。つまり、整流用ダイオードＤ３４は、行信号線Ｌ１４に接続される側の極性が整流用ダイオードＤ３１の行信号線Ｌ１２に接続される側の極性と同じになっている。
＜２＞動作
次に、本実施の形態に係るキー入力装置３００の動作について説明する。なお、キーが１つだけ押された場合については実施の形態１と同様なので説明を省略する。
＜２−１＞３つのキーが同時に押された場合
キー「５」とキー「←」とキー「↓」とが同時に押されたときの状態を図１５および図１６に示す。
【００５８】
図１５に示すように、信号出力部３１１の信号出力ポート３１１ｂからキー認識信号が出力されると、キー認識信号は、行信号線Ｌ１２からキースイッチＳＷ６（キー「←」に対応）を介して列信号線Ｌ２２に流れ、信号入力ポート３１２ｂに入力される（図１５の太線Ｒ３２）とともに、行信号線Ｌ１２からキースイッチＳＷ７（キー「５」に対応）を介して列信号線Ｌ２３に流れ、信号入力ポート３１２ｃに入力される（図１１の太線Ｒ３１）。
【００５９】
また、図１６に示すように、信号出力部３１１の信号出力ポート３１１ｄからキー認識信号が出力されると、キー認識信号は、行信号線Ｌ１４からキースイッチＳＷ１４（キー「↓」に対応）を介して列信号線Ｌ２２に流れ、信号入力ポート３１２ｂに入力される（図１６の太線Ｒ３３）。
仮に、ダイオードＤ１１がなければ、信号出力ポート３１１ｄから出力されたキー認識信号は、行信号線Ｌ１４→キースイッチＳＷ１４→列信号線Ｌ２２→キースイッチＳＷ６→行信号線Ｌ１２→キースイッチＳＷ７→列信号線Ｌ２３と流れて、信号入力ポート３１２ｃに入力されるが（図１６の破線Ｒ３４）、キー入力装置３００では、ダイオードＤ１１が設けられているので、破線Ｒ３４で示した経路を通って流れるキー認識信号が遮断される。
【００６０】
ここにおいて、判定部３１３は、信号出力ポート３１１ｂから出力されたキー認識信号が、信号入力ポート３１２ｂ，３１２ｃに入力されたことをもってキースイッチＳＷ６，ＳＷ７の接点が閉じたと判定し、信号出力ポート３１１ｄから出力されたキー認識信号が、信号入力ポート３１２ｂに入力されたことをもってキースイッチＳＷ１４の接点が閉じたと判定する。
【００６１】
つまり、本実施の形態に係るキー入力装置３００では、信号出力ポート３１１ｄから出力されたキー認識信号が、図１６の破線Ｒ３４で示した経路を通って信号入力ポート３１２ｃに流れるのを遮断することができるので、例えば、キー「５」とキー「←」とキー「↓」とが同時に押されたときに、判定部３１３が、キー「Ｔａｌｋ」（キースイッチＳＷ１５）が押されたものと誤って判定してしまうことを防止することができる。
【００６２】
また、本実施の形態に係るキー入力装置３００では、キースイッチＳＷ６およびキースイッチＳＷ１４と、キースイッチＳＷ５，ＳＷ１３，ＳＷ１５のうちのいずれか１つとが同時に押された場合であっても、判定部３１３の誤認識を防止することができる。
更に、キー入力装置３００では、キースイッチＳＷ８およびキースイッチＳＷ１６と、キースイッチＳＷ５，ＳＷ７，ＳＷ１３，ＳＷ１５のうちのいずれか１つとが同時に押された場合であっても、判定部３１３の誤認識を防止することができる。
【００６３】
つまり、ユーザがキー「←」およびキー「↓」と、キー「４」、キー「ＯＫ」、キー「５」およびキー「Ｔａｌｋ」の中のいずれか１つとを同時に押した場合、また、ユーザがキー「→」およびキー「↑」と、キー「４」、キー「ＯＫ」、キー「５」およびキー「Ｔａｌｋ」の中のいずれか１つとを同時に押した場合において、キー入力装置３００がユーザが押しているキーを正常に認識することができる。
【００６４】
＜変形例＞
（１）前述の実施の形態２では、キーマトリクス回路３２０が、４つの行信号線Ｌ１１乃至Ｌ１４と、４つの列信号線Ｌ２１乃至Ｌ２４と、行信号線Ｌ１３において、一端側が列信号線Ｌ２３に接続されたキースイッチＳＷ１１の他端側が接続される接続点Ｐ１１および一端側が列信号線Ｌ２４に接続されたキースイッチＳＷ１２の他端側が接続される接続点Ｐ１２よりも信号出力部３１１側に接続される整流用ダイオードＤ２１と、行信号線Ｌ１４において、一端側が列信号線Ｌ２３に接続されたキースイッチＳＷ１５の他端側が接続される接続点Ｐ１５および一端側が列信号線Ｌ２４に接続されたキースイッチＳＷ１６の他端側が接続される接続点Ｐ１６よりも信号出力部３１１側に接続され、信号出力部３１１側の極性が整流用ダイオードＤ２１の信号出力部３１１側の極性と同じである整流用ダイオードＤ２２とを備え、行信号線Ｌ１３における整流用ダイオードＤ２１よりも信号出力部３１１側に接続されたキースイッチＳＷ９,ＳＷ１０または行信号線Ｌ１４における整流用ダイオードＤ２２よりも信号出力部３１１側に接続されたキースイッチＳＷ１３,ＳＷ１４と、キースイッチＳＷ１１およびキースイッチＳＷ１５またはキースイッチＳＷ１２およびキースイッチＳＷ１６とが同時にオン状態となり得る例について説明したが、これに限定されるものではなく、例えば、図１７に示すように、キーマトリクス回路３２０が、７本の行信号線Ｌ３１乃至Ｌ３７と、７本の列信号線Ｌ４１乃至Ｌ４７と、行信号線Ｌ３６において、一端側が列信号線Ｌ４６に接続されたキースイッチＳＷ４１の他端側が接続される接続点Ｐ４１および一端側が列信号線Ｌ２４に接続されたキースイッチＳＷ１２の他端側が接続される接続点Ｐ４２よりも信号出力部３１１側に接続される整流用ダイオードＤ４１と、行信号線Ｌ３７において、一端側が列信号線Ｌ４６に接続されたキースイッチＳＷ４８の他端側が接続される接続点Ｐ４８および一端側が列信号線Ｌ４７に接続されたキースイッチＳＷ４９の他端側が接続される接続点Ｐ４９よりも信号出力部３１１側に接続され、信号出力部３１１側の極性が整流用ダイオードＤ４１の信号出力部３１１側の極性と同じである整流用ダイオードＤ２２とを備え、行信号線Ｌ３６における整流用ダイオードＤ４１よりも信号出力部３１１側に接続されたキースイッチＳＷ３６,ＳＷ３７,ＳＷ３８,ＳＷ３９,ＳＷ４０または行信号線Ｌ３７における整流用ダイオードＤ４２よりも信号出力部３１１側に接続されたキースイッチＳＷ４３,ＳＷ４４,ＳＷ４５,ＳＷ４６,ＳＷ４７と、キースイッチＳＷ４１およびキースイッチＳＷ４８またはキースイッチＳＷ４２およびキースイッチＳＷ４９とが同時にオン状態となり得るものであってもよい。本変形例では、各キーを図１８に示すように各キースイッチＳＷ１乃至ＳＷ４９に割り付ければ、ユーザがキー「←」およびキー「↓」と、キー「５」、キー「Ｅ」、キー「Ｌ」、キー「Ｓ」、キー「Ｏ」、キー「Ｚ」、キー「６」、キー「７」、キー「８」およびキー「９」の中のいずれか１つとを同時に押した場合、また、ユーザがキー「→」およびキー「↑」と、キー「５」、キー「Ｅ」、キー「Ｌ」、キー「Ｓ」、キー「Ｏ」、キー「Ｚ」、キー「��」、キー「７」、キー「８」およびキー「９」の中のいずれか１つとを同時に押した場合において、キー入力装置３００が、ユーザが押しているキーを正常に認識することができる。
【００６５】
（２）前述の実施の形態１および２では、行信号線Ｌ１１乃至Ｌ１４が信号出力部３１１に接続され、列信号線Ｌ２１乃至Ｌ２４が信号感知部３１２に接続される例について説明したが、これに限定されるものではなく、例えば、行信号線Ｌ１１乃至Ｌ１４が信号出力部３１１に接続され、列信号線Ｌ２１乃至Ｌ２４が信号感知部３１２に接続されるものであってもよい。
【００６６】
（３）前述の実施の形態１または２では、キー入力装置３００を備えた携帯電話機１０の例について説明したが、これに限定されるものではなく、本発明に係るキー入力装置は、例えば、ＰＤＡ（Ｐｅｒｓｏｎａｌ  Ｄｉｇｉｔａｌ  Ａｓｓｉｓｔａｎｔ）等の携帯通信端末やパソコン等の情報処理機器に実装されるものであってもよい。
（４）前述の実施の形態１では、キー「←」およびキー「↓」が同時に押される場合と、キー「→」およびキー「↑」が同時に押される場合について説明したが、これに限定されるものではなく、例えば、キー群のキースイッチＳＷ１乃至ＳＷ１６への割り当てを適宜変更してもよい。例えば、キー「１」およびキー「２」をキースイッチＳＷ１１,ＳＷ１５に割り当てて、キー「３」、キー「４」、キー「５」、キー「６」をキースイッチＳＷ９,ＳＷ１０,ＳＷ１３,ＳＷ１４に割り当てることにより、キー「１」およびキー「２」と、キー「３」、キー「４」、キー「５」およびキー「６」の中のいずれか１つのキーとが同時に押された場合であっても押されたキーを正常に認識することができる。また、前述の実施の形態２について、キー「１」およびキー「２」をキースイッチＳＷ１１,ＳＷ１５に割り当てて、キー「３」、キー「４」、キー「５」、キー「６」をキースイッチＳＷ９,ＳＷ１０,ＳＷ１３,ＳＷ１４に割り当てるとともに、スイッチ動作規制部によりキー「１」およびキー［２］が排他的にオンオフするように設定することにより、キー「１」およびキー「２」と、キー「３」、キー「４」、キー「５」およびキー「６」の中のいずれか１つのキーとが同時に押された場合であっても押されたキーを正常に認識することができる。
【００６７】
（５）前述の実施の形態１および２では、信号出力部３１１が、行信号線Ｌ１１，Ｌ１２，Ｌ１３，Ｌ１４に対して正電圧のキー認識信号を出力する例について説明したがこれに限定されるものではなく、例えば、信号出力部３１１が、行信号線Ｌ１１，Ｌ１２，Ｌ１３，Ｌ１４に対して負電圧のキー認識信号を出力するものであってもよい。この場合、整流用ダイオードＤ１１乃至Ｄ１４は以下のように接続する。整流用ダイオードＤ１１は、列信号線Ｌ２３から行信号線Ｌ１３に向かう方向に流れるキー認識信号を通過させ、逆方向に流れる信号を遮断するように接続する。整流用ダイオードＤ１３は、列信号線Ｌ２３から行信号線Ｌ１４に向かう方向に流れるキー認識信号を通過させ、逆方向に流れる信号を遮断するように接続する。整流用ダイオードＤ１２は、列信号線Ｌ２４から行信号線Ｌ１３に向かう方向に流れるキー認識信号を通過させ、逆方向に流れる信号を遮断するように接続する。整流用ダイオードＤ１４は、列信号線Ｌ２４から行信号線Ｌ１４に向かう方向に流れるキー認識信号を通過させ、逆方向に流れる信号を遮断するように接続する。
【００６８】
（６）前述の実施の形態１乃至３では、キー群ＫとキースイッチＳＷ１乃至ＳＷ１６との対応関係を示すテーブル情報を判定部３１３が保持される例について説明したが、これに限定されるものではなく、例えば、判定部３１３は、信号出力要求信号に含まれる信号出力ポートの識別情報と、信号感知信号に含まれる信号入力ポートの識別情報を制御部５００に送信するのみであって、制御部５００が、キー群ＫとキースイッチＳＷ１乃至ＳＷ１６との対応関係を示すテーブル情報を保持するものであってもよい。本変形例によれば、ユーザが制御部５００に保持されたテーブル情報を適宜変更するだけで、キー群ＫとキースイッチＳＷ１乃至ＳＷ１６との対応関係の変更が可能なので、ユーザの嗜好に合わせてキー群ＫとキースイッチＳＷ１乃至ＳＷ１６との対応関係を自由に設定することができる。
【００６９】
（７）なお、本発明に係るキー入力装置は、前述の実施の形態１および２と、前述（１）乃至（６）で説明した変形例を適宜組み合わせてなるキー入力装置であってもよい。
＜補足＞
（１）実施の形態１および３に係るキー入力装置の一実施例としては、複数の行信号線および複数の列信号線がマトリクス状に配線され、全ての行信号線それぞれが全ての列信号線と複数のキースイッチを介して接続されてなるキーマトリクス回路を備えるキー入力装置であって、各行信号線に対してキー認識信号を出力する信号出力部と、各列信号線から入力されるキー認識信号を感知する信号感知部と、一端側が第１の行信号線に接続され且つ他端側が第１の列信号線に接続された第１のキースイッチと第１の行信号線および第１の列信号線のいずれか一方との間に接続される第１の整流用ダイオードと、一端側が第２の行信号線に接続され且つ他端側が第１の列信号線に接続された第２のキースイッチと第２の行信号線および第１の列信号線のいずれか一方との間に接続され、第２の行信号線に接続される側の極性が第１の整流用ダイオードにおける第１の行信号線に接続される側の極性と同じである第２の整流用ダイオードと、一端側が第１の行信号線に接続され且つ他端側が第２の列信号線に接続された第３のキースイッチと第１の行信号線および第２の列信号線のいずれか一方との間に接続され、第１の行信号線に接続される側の極性が第１の整流用ダイオードにおける第１の行信号線に接続される側の極性と同じである第３の整流用ダイオードと、一端側が第２の行信号線に接続され且つ他端側が第２の列信号線に接続された第４のキースイッチと第２の行信号線および第２の列信号線のいずれか一方との間に接続され、第２の行信号線に接続される側の極性が第１の整流用ダイオードにおける第１の行信号線に接続される側の極性と同じである第４の整流用ダイオードとを備えるキー入力装置であってもよい。本実施例のキー入力装置であれば、従来例と異なる構成で同時キー操作時の誤認識を防止できるので、同時キー操作時の誤認識を防止できるキー入力装置の構成のバリエーションを増やすことができるから、キー配置に応じた回路設計や製造の容易化を図ることができる。
【００７０】
（２）実施の形態２に係るキー入力装置の一実施例としては、複数の行信号線および複数の列信号線がマトリクス状に配線され、全ての行信号線それぞれが全ての列信号線と複数のキースイッチを介して接続されてなるキーマトリクス回路を備えるキー入力装置であって、各行信号線に対してキー認識信号を出力する信号出力部と、各列信号線から入力されるキー認識信号を感知する信号感知部と、第１の行信号線において、一端側が第１の列信号線に接続された第１のキースイッチの他端側が接続される第１の接続点および一端側が第２の列信号線に接続された第２のキースイッチの他端側が接続される第２の接続点よりも信号出力部側に接続される第１の整流用ダイオードと、第２の行信号線において、一端側が第１の列信号線に接続された第３のキースイッチの他端側が接続される第３の接続点および一端側が第２の列信号線に接続された第４のキースイッチの他端側が接続される第４の接続点よりも信号出力部側に接続され、信号出力部側の極性が第１の整流用ダイオードにおける信号出力部側の極性と同じである第２の整流用ダイオードとを備え、第１の行信号線における第１の整流用ダイオードよりも信号出力部側に接続された第５のキースイッチまたは第２の行信号線における第２の整流用ダイオードよりも信号出力部側に接続された第６のキースイッチと、第１のキースイッチおよび第３のキースイッチまたは第２のキースイッチおよび第４のキースイッチとが同時にオン状態となり得るキー入力装置であってもよい。本実施例のキー入力装置であれば、より少ない数の整流用ダイオードを用いてキー入力の誤認識を防止することができるので、製造コストの低減を図ることができる。  （３）実施の形態１乃至３に係るキー入力装置の一実施例としては、第１のキースイッチと第２のキースイッチとが排他的にオンオフし、且つ、第３のキースイッチと第４のキースイッチとが排他的にオンオフするように第１のキースイッチ乃至第４のキースイッチの動作を規制するスイッチ動作規制部を備えるキー入力装置であってもよい。本実施例のキー入力装置であれば、同時に押されることを禁止したい２つのキーを第１のキースイッチおよび第２のキースイッチ、または、第３のキースイッチおよび第４のキースイッチに割り当てることにより、当該２つのキーが同時に押されることを確実に防止することができる。
【００７１】
（４）本発明は、実施の形態１乃至３、或いは、変形例で説明したキー入力装置を備えた携帯通信端末であってもよい。本構成によれば、携帯通信端末に用いられるキー入力装置として、従来と異なる構成でキー入力の誤認識を防止するキー入力装置を使用することができるので、キー入力装置の回路設計や製造において、キー配置に応じた回路設計や製造の容易化を図ることができる。
【産業上の利用可能性】
【００７２】
本発明は、キーマトリクス構造を有するキー入力装置に広く適用可能である。
【符号の説明】
【００７３】
１０  携帯電話機
１００  アンテナ
２００  無線通信部
３００  キー入力装置
３１０  キースキャン回路
３１１  信号出力部
３１２  信号感知部
３１３  判定部
３２０  キーマトリクス回路
３２０ａ  スイッチ動作規制部
４００  ＲＯＭ
５００  制御部
ＳＷ１，ＳＷ２，・・・，ＳＷ１６  キースイッチ
Ｌ１１，Ｌ１２，Ｌ１３，Ｌ１４  行信号線
Ｌ２１，Ｌ２２，Ｌ２３，Ｌ２４  列信号線
【図１】
0005561829.tif 000002
【図２】
0005561829.tif 000003
【図３】
0005561829.tif 000004
【図４】
0005561829.tif 000005
【図５】
0005561829.tif 000006
【図６】
0005561829.tif 000007
【図７】
0005561829.tif 000008
【図８】
0005561829.tif 000009
【図９】
0005561829.tif 000010
【図１０】
0005561829.tif 000011
【図１１】
0005561829.tif 000012
【図１２】
0005561829.tif 000013
【図１３】
0005561829.tif 000014
【図１４】
0005561829.tif 000015
【図１５】
0005561829.tif 000016
【図１６】
0005561829.tif 000017
【図１７】
0005561829.tif 000018
【図１８】
0005561829.tif 000019
【図１９】
0005561829.tif 000020
【図２０】
0005561829.tif 000021
【図２１】
0005561829.tif 000022